(57)【特許請求の範囲】
【請求項１】
被加熱物を収容する加熱室と、
被加熱物を加熱する加熱手段と、
商用電源により充電され、前記加熱手段に対して電力を供給する二次電池と、
前記二次電池から電力が供給される加熱手段によって加熱をする調理メニュー（以下、二次電池調理メニューと称す）を記憶する記憶手段と、
この二次電池調理メニューを実行制御する制御手段とを備え、
前記記憶手段は、前記二次電池の充電量に応じた複数の二次電池調理メニューを記憶することを特徴とする加熱調理器。
【請求項２】
二次電池の充電量の状態を検知する充電量検知手段と、
二次電池調理メニューの項目を表示する表示手段とを有し、
制御手段は、前記充電量検知手段により検知された充電量が、二次電池調理メニューの実行に必要な所定の充電量に比して多い場合に、その二次電池調理メニューの項目を前記表示手段に表示することを特徴とする請求項１記載の加熱調理器。
【請求項３】
記憶手段は、二次電池の充電量に応じて加熱条件が異なる二次電池調理メニューを有することを特徴とする請求項１または請求項２に記載の加熱調理器。
【請求項４】
記憶手段は、加熱するための加熱手段の選択、または加熱手段の使用時間、または二次電池から加熱手段に供給する使用電力量のうち少なくとも一つ以上が異なる二次電池調理メニューを有することを特徴とする請求項１乃至請求項３いずれかに記載の加熱調理器。
【請求項５】
二次電池の充電量の状態を検知する充電量検知手段と、
二次電池調理メニューを選択する選択手段とを有し、
記憶部は、商用電源から電力が供給される第１の加熱手段と、二次電池から電力が供給される第２の加熱手段とを併用して加熱動作し、前記商用電源からの第１の加熱手段への電力供給時間と、二次電池から第２の加熱手段への電力供給時間が予め設定されている商用電源併用二次電池調理メニューを有し、
制御手段は、
前記選択手段により、前記商用電源併用二次電池調理メニューが選択されて、
前記充電検知手段が検知した二次電池の充電量が、前記商用電源併用二次電池調理メニューを実行するために必要な量より少ない場合に、
前記二次電池から第２の加熱手段への電力供給時間を短縮し、商用電源からの加熱手段への電力供給時間を変更することを特徴とする請求項１記載の加熱調理器。
【請求項６】
制御手段は、
前記選択手段により、前記商用電源併用二次電池調理メニューが選択されて、
前記充電検知手段が検知した二次電池の充電量が、前記商用電源併用二次電池調理メニューを実行するために必要な量より少ない場合に、
前記二次電池から第２の加熱手段への電力供給時間を短縮し、商用電源からの第１の加熱手段への電力供給時間を延長することを特徴とする請求項５記載の加熱調理器。
【請求項７】
第１の加熱手段と第２の加熱手段とは、商用電源または二次電池いずれにも接続可能に構成され、
制御手段は、
前記選択手段により、前記商用電源併用二次電池調理メニューが選択されて、
前記充電検知手段が検知した二次電池の充電量が、前記商用電源併用二次電池調理メニューを実行するために必要な量より少ない場合に、
前記二次電池から前記第２の加熱手段への電力供給時間を短縮し、
前記二次電池から前記第２の加熱手段へ電力が供給されないときに、前記商用電源から前記第２の加熱手段へ電力を供給することを特徴とする請求項５記載の加熱調理器。
【発明の詳細な説明】
【技術分野】
【０００１】
本発明は、二次電池を備えてなる加熱調理器に関する。
【背景技術】
【０００２】
従来、電子オーブンレンジのような加熱調理器は、マグネトロンやヒータといった複数の加熱手段を備えており、マグネトロンによって食品の内部を加熱しつつ、ヒータにより食品表面を香ばしく焼き上げ、加熱具合と焦げ付き具合をバランスよくするように調理を行なっている。この場合、消費電力に制限があるために、その消費電力内で加熱を行うようにしていた。  
例えば、商用交流電源の電圧が１００Ｖであれば、消費電流が一般家庭の標準コンセント容量である１５Ａ以下となるよう、即ち、消費電力が１５００Ｗ以下となるように、複数の加熱手段の出力を制御したり、動作させる時間を区切って加熱を行なうようにしていた。このため、加熱調理に要する時間が長引かざるを得ないという欠点があった。
【０００３】
以上のような問題を解決する技術として、特許文献１には、外部電源の電力を電力変換器またはヒータ部のいずれか一方に供給し、蓄電池の電力を他方に供給する構成とした電子レンジが開示されている（特許文献１参照）。  
また特許文献２には、蓄電池を利用した調理において、加熱動作停止時に充電回路を動作させ蓄電池を充電することで、次回の加熱動作までに蓄電池は常に最大電力を供給することができる加熱調理器が提供されている（特許文献２参照）。
【特許文献１】特開平６−２０７７３号公報
【特許文献２】特開平４−２９２８９２号公報
【発明の開示】
【発明が解決しようとする課題】
【０００４】
しかしながら、特許文献１に開示されている技術は、電子レンジに蓄電池を採用して高周波加熱を行うものであるが、蓄電池をどのように採用して加熱調理に行うのかについては全く開示がない。  
また、特許文献２に開示されている技術は、加熱動作後に充電を行い加熱手段に最大電力が供給できるまで充電している。これによれば、使用者は、蓄電池の充電容量を使用した後、再度蓄電池を利用する調理を所望する場合に、最大容量に充電されるまで待機しなければならず、使い勝手が悪いという問題があった。
【０００５】
本発明は上記事情に鑑みてなされたものであり、その目的は、加熱手段を備えてなる加熱調理器において、使用者にとって、所望する調理充電時間を待つことなく実行できる利便性の高い調理器を提供することにある。
【課題を解決するための手段】
【０００６】
上記目的を達成するため、本発明の加熱調理器は、  被加熱物を収容する加熱室と、被加熱物を加熱する加熱手段と、商用電源により充電され、前記加熱手段に対して電力を供給する二次電池と、前記二次電池から電力が供給される加熱手段によって加熱をする調理メニュー（以下、二次電池調理メニューと称す）を記憶する記憶手段と、この二次電池調理メニューを実行制御する制御手段とを備え、前記記憶手段は、前記二次電池の充電量に応じた複数の二次電池調理メニューを記憶することを主たる特徴とする。
【発明の効果】
【０００７】
本発明の加熱調理器によれば、二次電池の充電容量に応じた複数の二次電池調理メニューを有するようにしたので、充電量の大小に応じた最適な加熱調理が実行でき、最大容量を必要としない加熱調理をすることができるから、使用者は、二次電池の使用状況においては充電時間を待機することなく、所望の加熱調理をすることができる。
【発明を実施するための最良の形態】
【０００８】
（第１実施例）
以下、本発明の第１実施例について図１乃至図１５を参照して説明する。図１は、電子レンジ１の制御系の構成を概略的に示すブロック図、図２ないし図４はオーブン機能付き電子レンジ１の構成を示すもので、縦断側面図並びに扉を開放，閉鎖した状態の正面図である。図５は二次電池の充電特性を示す図、図６は、二次電池の放電レートを示す図である。また図７は二次電池の充電状態を示す表示部の図である。図８は接続スイッチの詳細図。図９はインバータの詳細図。図１０はインバータの電流動作図。図１１は操作部の詳細図、図１２は調理メニューと二次電池の充電容量の相対図。図１３は、各調理メニューの表示状態を示す図。図１４は、表示方法のフローチャート。図１５は、二次電池調理メニューの動作図である。
【０００９】
電子レンジ１の本体は、図２に示すように前面を開放した矩形状の外箱２内に、矩形状の内箱３を固定して構成されてものであって、同じように前面を開放した内箱３の内部が、加熱室４とされている。  
そしてこの加熱室４の前面開口部は、上下に回動する扉５によって開閉されるようになっている。また扉５の前面部には、上部に手掛け部６が設けられ、下部に複数の操作部７および表示部８（表示手段に相当）を有する操作パネル９が設けられている。操作部７は、加熱調理の調理メニューや調理時間，調理に関する庫内温度（設定温度）などを設定するためのものであり、また、表示部８は、選択された調理メニューや調理時間などを表示するためのものである。これらの調理メニューは、「グラタン」や、「ピザ」などが選択可能となっており、各食品に適した調理方法が予め制御部３７（記憶手段に相当）に記憶されているものである。
【００１０】
また電子レンジ１本体内の背部には、外箱２と内箱３との間に位置する機械室１０が形成されており、この機械室１０の下部には、マイクロ波加熱手段であるマグネトロン１１の他、図示はしないがマグネトロン１１の電源装置、マグネトロン１１や電源装置を冷却する冷却ファン装置などが配設されている。マグネトロン１１は高周波を発生するもので、その発生した高周波は、内箱３の下面に配設された導波管１２を通して内箱３の底部に形成された励振口１３から加熱室４内に供給されるようになっている。  
内箱３の底部内側には段部１４が形成され、この段部１４にガラス板或はセラミックス板から形成された底板１５が載置されている。この底板１５は、実質的に加熱室４の底面を構成するもので、この底板１５の下方の空間には、励振口１３から供給された高周波を反射撹拌するための回転アンテナ１６が配設されている。また、底板１５の下方の空間には、回転アンテナ１６を取り巻くようにしてシースヒータなどからなる下ヒータ１７（加熱手段に相当）が配設されていると共に、内箱３の上部には、面状ヒータなどからなる上ヒータ１８（加熱手段に相当）が配設されている。これら上下両ヒータ１７および１８は、調理機能の一つであるオーブン調理のヒータとして機能する。  
またこの下ヒータ１７と上ヒータ１８とは、各々定格出力が異なって構成されており、下ヒータ１７は１０００Ｗ、上ヒータ１８は１１００Ｗとしている。
【００１１】
一方、内箱３の背面には、熱風発生装置１９のケーシング２０が固定されており、このケーシング２０内には、ファンモータ２１によって駆動される遠心型のファン２２および熱風用ヒータ２３（加熱手段に相当）が配設されている。  
この熱風用ヒータ２３は、二つのヒータがファン２２の周りに囲繞して設けられる構成で、内周側と外周側と異なる場所に位置する内周ヒータ２３ａ（加熱手段）と外周ヒータ２３ｂ（加熱手段）とにより構成される。またこの二つの熱風用ヒータは各々定格出力が異なり、内周ヒータ２３ａが１３００Ｗ、外周ヒータ２３ｂが１４００Ｗで構成されている。これら内周ヒータ２３ａ、外周ヒータ２３ｂは、調理機能の一つである熱風循環調理のヒータとして機能する。  
そして、加熱室４の後面である内箱３の後面壁には、ファン２２の中心側に対応位置して多数の小孔からなる吸気口２４が形成されていると共に、吸気口２４の上下両側部分に位置して同じく多数の小孔からなる吐気口２５が形成されている。
【００１２】
上記の熱風発生装置１９において、ファン２２が回転すると、加熱室４内の空気が吸気口２４からケーシング２０内に吸引され、そして熱風用ヒータ２３により加熱されて上下の吐気口２５から加熱室４内に吐出される。このような熱風の循環によって加熱室４内が加熱されてオーブン調理が行われるようになっている。オーブン調理では、加熱室４内にオーブン調理皿（図示せず）を上下２段に配置することができるようになっているが、上記のように上下の吐気口２５から同等量の熱風が供給されることによって、上下に配置されたオーブン調理皿上の食品が共に良好に調理することができる。
【００１３】
さて、前記内箱３は鉄板などの金属板製のもので、前面部の矩形状のフランジ板２６、上面板２７、後面板２８、左側板２９、右側板３０および底面板３１からなる。そのうち、上面板２７および後面板２８は、一枚の板材をほぼＬ字形に折曲して形成されている。  
そして、これらの板２６〜３１は互いに溶接などによって接合され、前面部のフランジ板２６が外箱２に溶接などによって接合されている。  
この内箱３の上部の稜角部のうち上部後側の稜角部、すなわち、一枚の板から形成された上面板２７および後面板２８の境界部は、後側に向って下降する傾斜面３２に形成されている。そして、その傾斜面３２の横（左右）方向中央部には、図示しない赤外線検知用の窓が開口形成されており、その窓に望むようにして赤外線センサ（温度検知手段）３３が配置されている。
【００１４】
また、図２に示すように、機械室１０には、リチウムイオン電池からなる二次電池３４と、その二次電池３４に対して１００Ｖの商用（交流）電源３５（図１参照）より充電を行うための充電回路３６とが配置されている。この商用電源３５と充電回路３６との間には、充電リレー５５が介されており、制御部３７の指令で充電リレー５５がオンオフされることにより、充電回路３６へ商用電源３５の供給のオンオフが制御されるように構成されている（図１参照）。  
この二次電池３４は、端子電圧が例えば３３Ｖ程度に設定されており、図５に示すように１２分程度で満充電することが可能であり、また、図６に示すように、５Ｃ（ｍＡ）以上で放電させた場合でも放電容量が大きく低下しないように構成されている（例えば、特開２００４−２９６２５５号公報参照）。  
尚、放電容量１６００ｍＡｈを２０Ｃで放電させると、３分間，３２Ａ×３３Ｖ＝１０５６Ｗの電力供給ができる。
【００１５】
ここで、電子レンジ１における制御系の構成について図１を参照して説明する。  
制御部３７は、マイクロコンピュータで構成されており、赤外線センサ３３や、庫内温度センサ３８（温度検知手段）（図１参照）によって出力されるセンサ信号が入力され、扉５の開閉を検知する扉開閉検知手段９０からの信号が入力されるように構成されている。そして、制御部３７は、操作部７で主電源８３をＯＮすることにより、主電源スイッチ５６がＯＮされて、制御部３７に電源が供給されるように構成されており、この制御部３７は、表示部８の表示を制御したり、内部のメモリーに記憶された複数の調理メニューのプログラムを基にマグネトロン１１や各ヒータ１７，１８，２３ａ、２３ｂの駆動を実行制御するように構成されている。
【００１６】
充電量検知回路３９は、充電回路３６を介して行われる二次電池３４の充電状態を、例えば二次電池３４の端子電圧などから検知して、その検知結果を制御部３７に出力するようになっている。そして、制御部３７は、二次電池３４の充電状態を、例えば、図７（ａ）に示すようにして表示部８に表示させる。また、図７（ｂ）は、充電容量表示部８ｂの二次電池３４の残存容量が次第に減少する場合における表示状態の変化を示す。  
この表示部８の二次電池３４の残存容量は、充電容量表示部８ｂに表示される。例えば最大の充電容量が４００Ｗｈである場合において、1目盛だけ表示されている時は、８０Ｗｈの充電容量（最大充電容量の２０％分）が充電されていることを示しており、５目盛分表示されている時は、二次電池３４が完全に充電がされていることを示す。  
そしてその二次電池３４の残存容量の右方には、調理名称表示部８ａがあり、二次電池３４の残存容量に応じた調理可能な調理メニューの名称（調理メニューの項目に相当）が表示され、その上下には、該調理メニューに必要な時間（終了時間）と、該調理メニューによる加熱室４内の設定温度が表示される。
【００１７】
次に二次電池との各加熱手段との電力供給方法について説明する。  
上記した加熱手段である上下ヒータ１７、１８、熱風用ヒータ２３ａ、２３ｂは、図１に示す切替手段である接続スイッチ５１〜５４に接続される構成であって、図８に示すように接点ｄに接続される端子が、接点ａ、ｂ、ｃに切替られることによって、商用電源３５（接点ｂに接続した場合）、二次電池３４（接点ｄに接続した場合）の異なる電源を選択することが可能に構成されており、各々のヒータが電源の供給先を選択できる。すなわち、各々のヒータは、異なる電源のうち一方から電源が供給されるように構成されている。
【００１８】
さらに、マグネトロン１１には、インバータ５０が接続されていてこのインバータ５０は、上記接続スイッチ５１〜５４とは異なり、図９に示すように構成されている。  
このインバータ５０は、整流ユニット６０と、半導体スイッチ６１、インバータスイッチ６２、高周波トランス６３などから構成されており、整流ユニット６０に商用電源３５が接続されており、インバータスイッチ６２に二次電池３４が接続されている。
【００１９】
このように構成されたインバータ５０は、商用電源３５と二次電池３４とを同時に使用する場合に、図１０に示すような動作を示す。  
まず、商用電源３５から供給された電力は、整流ユニット６０により整流化され、半導体スイッチ６１により制御される。この時商用電源３５から供給された交流は、図１０（ａ）に示すような脈流となる。  
続いて、充電された二次電池３４から供給された電力は、直流化されてインバータスイッチ６２を介して商用電源３５からの接続点Ａに供給される（図１０（ｂ）参照）。  
そして接続点Ａでは、図１０（ａ）の脈流に図１０（ｂ）の電力が合計されて、出力が大きくなった電力が高周波トランス６３へ供給される。そして高周波トランス６３を介して整流された電力がマグネトロン１１に供給されるようになる。  
したがってこのインバータ５０は、接続スイッチ５１〜５４のようないずれかの電源を選択する構成とは異なり、商用電源３５と二次電池３４との合計の電力をマグネトロン１１に供給することができる。
【００２０】
またここで、表示部８への充電量及び調理メニュー名称の表示方法と、表示された内容に基づく操作方法について説明する。  
図１１は、操作部７の詳細図である。この操作部７には、電子レンジ１の電源をオンする主電源８３と、表示部８に表示されている調理メニューを選択する自動調理メニュー選択キー８２と、この自動調理メニュー選択キー８２により選択された調理メニューを実行開始するスタートキー８４が設けられている。また調理メニューを手動で選択する手動調理メニュー選択キー８５も設けられている。そして充電キー８６も設けられており、このキーを選択することにより、充電リレー５５がオンし、商用電源３５から充電回路３６を通じて二次電池３４に充電がされるように構成されている。
【００２１】
また前述の選択キー８４，８５から選択可能な複数の調理メニューは、制御部３７に記憶されているもので図１２に示すように、二次電池３４から電源が供給される調理メニュー（二次電池調理メニューに相当）と、二次電池３４を使用しない商用電源３５のみから電源が供給される通常調理メニュー「あたため」とに区分けされる。  
そして、二次電池調理メニューは、「急速あたため調理」、「グラタン調理」、「シュー調理」、「クッキー調理」、「アップルパイ調理」「ハンバーグ調理」「ピザ調理」などが記憶されている。  
これら二次電池調理メニューは、加熱条件が異なるように設定されていて、実行するための加熱手段（マグネトロン１１、下ヒータ１７、上ヒータ１８、熱風用ヒータ２３、内周ヒータ２３ａ、外周ヒータ２３ｂが相当）の選択、または加熱手段の使用時間、または二次電池３４から加熱手段に供給する使用電力量のうち少なくとも一つ以上が異なるように設定されて構成されている。
【００２２】
これら二次電池調理メニューの加熱条件について説明する。  
まず「グラタン調理」について説明する。  
この調理は、前述したように実行時に二次電池３４を利用する。そして二次電池３４を利用するときの必要な電力量（使用電力量）は１６０Ｗｈであり、上ヒータ１、１ｋＷを約８分間加熱動作させる制御をする。  
続いて、「シュー調理」は、シュークリームのシュー生地を調理する調理方法であって、この調理実行時に二次電池３４を利用する。そして二次電池３４を利用するときの必要な電力量（使用電力量）は、２４０Ｗｈであり、下ヒータ１ｋＷを約１４分間加熱動作させる制御をする。
【００２３】
また「ピザ調理」は、同様に二次電池３４を利用する。そして、二次電池３４を利用するときの必要な電力量（使用電力量）は、４００Ｗｈであり、上ヒータ１、１ｋＷと下ヒータ１ｋＷを約１１分間加熱動作させる制御をする。
【００２４】
このように、二次電池調理メニューは、使用する加熱手段、その加熱手段の使用時間、二次電池３４から加熱手段に供給される使用電力量が異なるように設定されている。  
すなわちこれら二次電池調理メニューは、その調理をするために必要な使用電力量が決まっており、二次電池３４を使用する際には、前述した電力量（使用電力量）が二次電池３４に充電されていなければ、調理が実行不可能となる。
【００２５】
ここで図１２の表には、調理が実行可能な二次電池３４の充電量について「○」「×」印を記しており、二次電池３４の充電量の目盛が所定の量以上であれば、調理実行可能な状態になっているものとして、「○」印がされている。  
この図１２の表を基に、充電状態を示す表示部８には、前記した表の「○」印に該当する調理メニューの名称が図１３のように表示されるようになる。
【００２６】
図１４に示すように、制御部３７は、電子レンジ１の電源がオンされているときに、充電検知手段３９が二次電池３４の充電容量を検知することにより表示部８に表示する内容を判断している。
【００２７】
即ちステップＳ１のように充電容量が５目盛分あることを検知すれば、ステップＳ１ａのように６つの調理メニューの名称が表示されるように決められている。充電容量が少なければ少ないほど表示される調理メニューの名称は少なくなる。
【００２８】
以下、具体的説明していく。  
まず充電状態が、２目盛（４０％）である場合、表示部８は、２目盛の充電容量で実行できる調理メニューである「グラタン」が表示される（図１３（ａ）参照）。  
図１３（ａ）は、この「グラタン」調理の表示画面であって、２目盛の充電容量があれば、庫内を３００度Ｃに設定して加熱し、２０分で終了できる「グラタン調理」が実行可能であることを示している。  
そしてこの「グラタン」調理の表示がされている時に、スタートキー８４を押すことにより、「グラタン」の調理メニューが実行されるように構成されている。  
またこの場合、調理名称表示部８ａには、「グラタン」と表示されているが、操作部７の自動調理メニュー選択キー８２を押下することにより、この調理名称表示部８ａは、２目盛の充電容量があれば実行できる調理メニューが順次表示される。  
すなわち前述した図１２における目盛２の列において「○」印がされている調理メニューの「あたため」、「急速あたため」が順に表示されて、該当するモードが表示されたときに、スタートキー８４を押すことにより、該調理メニューが実行される。
【００２９】
また図１３（ｂ）のように、目盛が３を示している充電容量の場合（最大容量の６０％）は、その充電容量に応じた「シュー」調理が表示される。  
この時も、表示部８には、現在の充電容量の目盛が３であること、庫内を２２０度Ｃに設定して加熱すること、２８分で調理が終了することが示されており、「シュー」調理が実行可能であることが示されている。  
そして調理実行に同じ充電容量を必要とする「クッキー」が、続いて表示される。そして、目盛３以下で実行できる調理メニュー、「グラタン」、「急速あたため」、「あたため」が順に表示される。
【００３０】
そして目盛２の充電容量の時と同様に所望する調理メニューが表示された時にスタートキー８４を押すことにより該調理メニューが実行される。
【００３１】
同様に図１３（ｃ）のように、目盛が５を示し、二次電池３４の最大充電容量が充電されている場合（充電容量４００Ｗｈ、１００％）は、すべての調理メニューが実行できるように表示部８に表示される。  
まず、充電容量が５目盛分必要な「ピザ」調理が表示される。  
この表示画面には、現在の充電容量の目盛が５であり、充電量が最大であること、庫内を３００度Ｃに設定して加熱すること、１５分で調理が終了することが示されており、「ピザ」調理が実行可能であることが示されている。  
この表示後、「アップルパイ」、「ハンバーグ」、「シュー」、「クッキー」、「グラタン」、「急速あたため」、「あたため」が順に表示され、使用者は所望の調理メニューが表示されたときにスタートキー８４を押すことにより、その調理を実行することができる。
【００３２】
このように表示部８には複数の調理メニューのうちの一つが表示され、使用者は、実行可能な別の調理メニューを表示する為に、自動調理メニュー選択キー８２を押し、所望の調理メニューが表示部８に表示された時に、スタートキー８４を押すことにより、該調理メニューが実行できる。
【００３３】
ここで、上記した二次電池調理メニューの動作について図１５により説明する。  
まず、図１３（ａ）に対応した「グラタン」調理の動作について図１５（ａ）を参照して説明する。  
図１５（ａ）は「グラタン」調理メニューが選択されたときの庫内温度変化を示すタイミングチャートである。  
まず、表示部８に「グラタン」が表示されている時に、スタートボタンを押すと、制御部３７に記憶されている「グラタン調理メニュー」が開始される。  
使用者が調理を実行開始させると、制御部３７は、図１５（ａ）に示すように、加熱調理の開始から、複数の加熱手段のうち背面にある内周ヒータ２３ｂを選択して商用電源３５から電源を供給する。  
そして庫内温度が調理設定温度（３００度Ｃ）に達すると、商用電源３５に接続された内周ヒータ２３ａ（１３００Ｗ）を断続して設定温度を維持する。
【００３４】
そして、調理が開始されてから１２分後（調理が終了する８分前）に、上ヒータ１８の接続スイッチ５１を接点ａから接点ｃに切り替える。すると、上ヒータ１８は二次電池３４に接続されて、上ヒータ１８には、二次電池３４から電源が供給されるようになる。  
そして所定時間（８分間）だけ設定温度以上で加熱を行なった後に調理を終了する。この場合、内周ヒータには、商用電源３５が断続的に供給されており、商用電源３５と二次電池３４とからの電源供給が同時に行われている。  
例えば、グラタンなどを調理する場合は、料理の表面部分に僅かに焦げ目をつけるように仕上げることが好ましい。従って、このグラタン調理のように制御すれば、調理の終了直前に一時的に加熱出力を高めて、食品の表面部分に焦げ目をつけることができる。  
このように加熱途中に、内周ヒータ２３ａ（定格出力１３００Ｗ）とは、異なる場所に位置し、定格出力の異なる上ヒータ１８（定格出力１１００Ｗ）を接続スイッチで切り替えて二次電池３４に接続することにより、１５００Ｗ以上の消費電力を使用して内周ヒータ２３ａと上ヒータ１８を同時に使用することができ、この「グラタン」メニューの調理メニューに適した加熱調理ができる。
【００３５】
したがって、このように、調理物に適した場所（上ヒータ１８）の加熱手段を二次電池３４で高出力にして、「グラタンメニュー」の焼き色をつける動作など、各調理メニューに応じて、商用電源３５または二次電池３４に接続される加熱手段を決めておくことにより、電子レンジ１の定格消費電力を超える加熱出力を利用した調理メニュー（調理物）に適した加熱調理をすることができる。
【００３６】
つづいて図１３（ｂ）は、「シュー」調理メニューが選択されたときの庫内温度変化を示すタイミングチャートである。  
使用者が調理を開始させると、制御部３７は内周ヒータ２３ａを商用電源３５に接続して通電して加熱室４の予熱を行う。そして、庫内温度が「シュー」調理の設定温度２２０度に達すると、制御部３７は予熱行程が終了したことを表示部８に表示する。
【００３７】
すると、ユーザは扉５を開放してシュークリームのシュー生地を加熱室４に収容し、扉５を再び閉じてから加熱調理を開始させるが、この時、庫内温度は急激に低下する。そこで、このシュー調理では、扉５が閉塞されたことを扉開閉検知手段９０が検知すると、二次電池３４より電源供給を受けるように下ヒータ２３（１ｋＷ）も同時に通電し、低下した庫内温度を急上昇させる。  
この場合、電子レンジ１の定格消費電力が例えば１５００Ｗであったしても、二次電池３４を併用することで、それ以上の出力で加熱を行なうことが可能となっている。そして、庫内温度が再び設定温度に達するまで１４分間下ヒータ１７を通電し、その後、内周ヒータ２３ａを間歇的に通電を行い、庫内温度を一定に維持することで加熱調理を行なう。  
このように、シュー生地を収容して、加熱されて生地が膨らむ初期段階のときに低下した庫内温度で下ヒータ１７に二次電池３４を通電し、高い火力としたので、生地の中の水分蒸発を促進させ、この水蒸気による生地の膨らみを良好にすることができる。
【００３８】
図１５（ｃ）は、「ピザ」調理メニューが選択されたときの庫内温度変化を示すタイミングチャートである。  
この場合、庫内温度が室温と略同じであり、且つ、加熱室４に食品等が収容されて熱容量が大きくなっている状態から加熱調理を開始することになる。そこで、制御部３７は、図１５（ｃ）に示すように、加熱調理の開始から、内周ヒータ２３を商用電源３５に接続し、上ヒータ１７（１．１ｋＷ），下ヒータ１８（１ｋＷ）を二次電源に接続することで同時に通電して加熱動作させる。  
そして、庫内温度がピザの設定温度（３００度Ｃ）に達すると熱風用ヒータ２３と上下ヒータ１７，１８に対して間歇的に通電を行うことで庫内温度が一定となるように維持する。
【００３９】
このようにピザ調理を行う場合に、二次電源から電源供給することにより上下ヒータ１７，１８を接続し、ピザの上下方向から同時に加熱調理ができるため、短時間に表面、裏面ともに香ばしく焼くことができる。  
また二次電池３４より電源の供給を受ける熱風用ヒータ２３を加熱調理の開始から上下ヒータ１７，１８と同時に動作させるので、調理時間を短縮すると共に食品の表面部分が乾燥することを防止し、調理の仕上がり状態を良好にすることができる。  
この場合、上下ヒータ１７，１８にタイミングを同時に二次電源から電源供給し、電源の供給時間が１１分経過したときに二次電池容量が終了するため、その時点で調理も終了する。
【００４０】
このように、本実施例によれば、被加熱物を収容する加熱室４と、被加熱物を加熱する各ヒータまたはマグネトロン１１と、商用電源３５により充電され、前記ヒータ等に対して電力を供給する二次電池３４と、調理メニューを記憶する制御部３７と、この調理メニューを実行制御する制御部３７とを備え、制御部３７は、この二次電池３４の充電量に応じた複数の二次電池調理メニューを記憶するようにしているので、使用者は二次電池３４の充電量の大小に応じた最適な調理メニューを実行できる。
【００４１】
例えば、二次電池の充電量が１００％でなく、それより低い状態でも、その低い充電状態に適した調理メニューが実行できるから、使用者は、たくさんの充電量に基づく加熱が必要でない被加熱物については、二次電池３４の充電が１００％になるのを待つことなく、その被加熱物に対し所望の調理をすることができる。  
すなわち最大容量を必要としない加熱調理をすることができるから、使用者は、二次電池３４の使用状況においては二次電池３４の充電時間を待機することなく、所望の加熱調理をすることができる。
【００４２】
また、二次電池調理メニューの項目である調理メニューの名称を表示する表示部８を有し、二次電池３４の充電量が二次電池調理メニューの実行に必要な所定の充電量により多い場合に、その二次電池調理メニューの項目を前記表示手段に表示するようにしたから、使用者は、現状で使用できる加熱調理を一見して把握することができるので、使用者にとって利便性が高い。
【００４３】
また、制御部３７は、二次電池３４の充電量に応じて加熱条件が異なるように、加熱するための加熱手段（ヒータ）の選択、または加熱手段の使用時間（通電時間）、または二次電池３４から加熱手段に供給する使用電力量のうち少なくとも一つ以上が異なるようにして複数の二次電池調理メニューを記憶しており、調理物に適した場所のヒータを使用したり、調理物に焼き色をつける時間や、タイミングを変更するなどして、様々な用途にあった調理メニューを用意しておくことにより、使用者はより希望にあった調理を選択することができる。
【００４４】
（第２実施例）
次に、本発明に係る加熱調理器の第２の実施形態を、図１６乃至図１７を参照して説明する。
【００４５】
図１６は、手動調理選択キー押下時の模擬二次電池調理メニュー移行フローチャート。図１７は、模擬二次電池調理メニューの動作図である。  
第１の実施形態と同一部分については同一の符号を付して説明を省略し、以下異なるところについて説明する。  
即ち、上記第１の実施形態と異なるところは、二次電池調理メニューの制御方法であり、二次電池調理メニューを実行する為に必要な充電量が満たされていない場合にも、その該当する二次電池調理メニューに準ずる加熱調理を実行できるようにしている点である。
【００４６】
操作部７は、手動調理メニュー選択キー８５を有しており、使用者はこの手動調理メニュー選択キー８５を選択することにより、二次電池３４を利用して高い火力で調理する高火力の調理メニューを実行することができる。  
使用者が手動調理メニュー選択キー８５を押下することにより、表示部８には、制御部３７が記憶している調理メニューの名称が表示される。  
すなわち図１２に記載している「急速あたため」「グラタン」「シュー」「アップルパイ」「ピザ」等が手動調理メニュー選択キー８５を押下することにより随時表示される。
【００４７】
この操作では、第１の実施例と異なり、二次電池３４の電池容量が二次電池調理メニューに必要な充電量を有していなくても、二次電池調理メニューの表示がされる。  
そして、この手動調理メニュー選択キー８５が選択されて、スタートキー８４が押されると、その表示された調理が実行される。  
詳細は後述するが、この操作では、その選択された表示項目の調理が、二次電池調理メニューに必要な充電容量を有している場合は、その二次電池調理メニューの加熱制御が行われ、一方、その選択された表示項目の調理メニューが、二次電池調理メニューに必要な充電容量を有していない場合は、二次電池調理メニューに準ずる程度の仕上がりがされるように加熱方法が変更された加熱制御が行われる（以下、模擬二次電池調理メニューを称す）。
【００４８】
ここで、図１６乃至図１７を用いて模擬二次電池調理メニューについて一例を説明する。  
図１６は、使用者が、「ピザ」の項目が表示された時に調理を実行した時のフローチャートである。図１７は、模擬二次電池調理メニューの「ピザ」調理の庫内温度変化を示すタイミングチャートである。  
まず、使用者が手動調理メニュー選択キー８５を押下して、「ピザ」の項目が表示されているときにスタートキー８４を押して模擬二次電池調理メニューの「ピザ」調理を選択する（Ｔ１、Ｔ２）。  
この時、制御部３７の充電量検知回路３９は、二次電池３４の容量を検知して、二次電池調理メニューの「ピザ」調理に必要な充電量（１００％）を有しているか判断する。
【００４９】
そして二次電池容量が１００％である場合（Ｔ４のyes）は、二次電池調理メニューの「ピザ」調理である第１の実施例の図１５（ｃ）に示した二次電池調理メニューの「ピザ」調理の加熱制御が行われる（Ｔ５）。  
この加熱制御は、商用電源３５から内周ヒータ２３ｂに電力を供給する時間である通電時間を１１分と予め設定されており、庫内温度が設定温度に達した後に、断続して内周ヒータ２３ｂに通電するようにプログラムされている。  
また二次電池３４から上下ヒータ１７、１８への電力供給時間は、調理開始から調理終了まで全体で１１分通電するようにして予め設定されており、庫内温度が設定温度に達した後に、断続して内周ヒータ２３ｂに通電するようにプログラムされている。  
なお、この際、表示部８には、充電容量の目盛は５が表示されており、調理終了時間は１５分が表示されている（図３（ｃ）参照）。
【００５０】
一方、例えば充電量検知回路３９が検知した二次電池容量が４０％であって、表示部８には充電容量の目盛２が表示されている場合は、二次電池容量が１００％未満であるため（Ｔ４のno）、「ピザ」の二次電池調理メニューは実行できないため、表示部８に「充電しますか？」と使用者に報知がされる（Ｔ６）。  
この時使用者は操作部７の充電キー８６を操作すると（Ｔ９）、充電が始まる（Ｔ８）。そして充電後、充電容量が１００％を越えたとき、それを充電検知手段が検知し「ピザ」の二次電池調理メニューが開始される（Ｔ４yes、Ｔ５）。
【００５１】
また使用者が所定時間内に充電キー８６を操作しない場合は、制御部３７は、「ピザ」の二次電池調理メニューの加熱方法と異なるが、それに準ずる加熱条件に変更して、模擬的な二次電池調理メニュー（模擬二次電池調理メニューと称す）が行われる（Ｔ１０）。  
この時、表示部８には調理終了時間が２０分と表示されており、二次電池調理メニューの「ピザ」調理の時（１５分）より調理時間が長いことが示されて、さらに調理名称表示部８ａに「模擬ピザ」と表示され、通常の二次電池調理メニューである「ピザ」調理とは異なる調理であって調理時間が長くなることが使用者に認識されるように報知される。
【００５２】
続いて図１７を参照して高火力調理メニューの「ピザ」調理の模擬二次電池調理メニュー動作を説明する。  
この場合、庫内温度が室温と略同じであり、且つ、加熱室４に食品等が収容されて熱容量が大きくなっている状態から加熱調理を開始することになる。そこで、制御部３７は、加熱調理の開始から、熱風用ヒータ２３を商用電源３５に接続し、上下ヒータ１７，１８を二次電池３４に接続することで同時に通電して加熱動作させる。  
このとき、二次電池３４の容量は、庫内温度を急激に上昇させる過程である開始直後に全て使用される。
【００５３】
そして庫内温度がピザの設定温度（３００度Ｃ）に達する前、上下ヒータを４．４分間電源供給した時に二次電池３４の容量はなくなり、その後は商用電源３５を用いた内周ヒータ２３ａを使用して庫内温度を上げていく。  
そのため、庫内温度センサ３８が設定温度に到達することを検知する時間は、二次電池調理メニューのピザ調理（図１５（ｃ）参照）よりも長くなる。  
そして、庫内温度がピザの設定温度（３００度Ｃ）に達すると熱風用ヒータ２３のみを間歇的に通電を行うことで庫内温度が一定となるように維持して合計１５分通電して調理が終了する。
【００５４】
「模擬ピザ」の調理の加熱制御は、「ピザ」調理において二次電池３４から上下ヒータ１７、１８への電力供給時間が、調理開始から調理終了まで全体で１１分通電するようにして予め設定されていたのに対して、二次電池３４の充電容量分である通電時間を４．４分に変更して「ピザ」調理に比して通電時間を短縮している。  
そして「ピザ」調理において商用電源３５から内周ヒータ２３ｂに電力を供給する時間である通電時間を１１分と予め設定されていたものを、１５分に変更して「ピザ」調理に比して通電時間を延長している。また設定温度の到達後には加熱室４温度を一定にする為に断続的に通電を行っている。  
したがってこれらのように「模擬ピザ」調理は、「ピザ」調理の仕上がりに近づけるために加熱動作を変更することから「模擬ピザ」の調理終了時間（２０分）は、「ピザ」調理（１５分）のときより長くなる。
【００５５】
このように図１７の「模擬ピザ」の調理方法によれば、二次電池調理メニューの時に比して終了時間は長くなるが、使用者は二次電池３４が充電される時間を待つことなく、調理開始当初にピザの上下方向から同時に加熱し表面、裏面ともに香ばしくするという二次電池３４を使用する効果をも得ることができるため、「ピザ」調理に準ずる仕上がりのピザが提供されて使用者にとって利便性が高い。
【００５６】
なお調理開始時の電池容量がさらに少ない場合（例えば２０％）は、上下ヒータ１７，１８の通電可能時間がさらに短くなるため、二次電池３４から上下ヒータ１７，１８への電力供給時間を短くし、商用電源３５から熱風ヒータへの電力供給時間をより長くするように設定する。
【００５７】
このように商用電源３５から電力が供給される内周ヒータ２３ａ（第１の加熱手段に相当）と、二次電池３４から電力が供給される上下ヒータ（第２の加熱手段に相当）とを併用して加熱動作させる二次電池調理メニューについて、商用電源３５からの熱風ヒータへの電力供給時間（１１分）と、二次電池３４から上下ヒータへの電力供給時間（１１分）とが予め設定されている「ピザ」調理（二次電池調理メニューに相当）が実行できるように電子レンジ１を構成し、制御部３７は、二次電池容量が二次電池調理メニューの「ピザ」調理に必要な容量に満たしていない場合には、それを検知して、前記二次電池３４から上下ヒータへの電力供給時間を４．４分に短縮し、商用電源３５からの第１の加熱手段への電力供給時間を１５分に延長するように変更して模擬二次電池調理メニューを実行できるようにした。  
したがって、現在有している充電容量を使用して高出力の調理をできるようにしたため、使用者は、二次電池３４の充電時間が増えるのを待つことなく、所望の調理メニューを実行することができ、利便性が高い。  
また他の調理の表示項目（例えばグラタン）でも、二次電池容量が少しでもあれば、二次電池３４を利用して調理することができる。
【００５８】
（第３実施例）
次に、本発明に係る加熱調理器の第３の実施形態を、図１８を参照して説明する。  
図１８は模擬二次電池調理メニューの「ピザ」調理の庫内温度変化を示すタイミングチャートであって、図１７相当図である。  
上記第２の実施形態と異なるところは、模擬二次電池調理メニューの「ピザ」調理の制御方法である。
【００５９】
初めに制御部３７は、模擬的な二次電池調理メニューが選択されると（Ｔ１０）、表示部８には調理終了時間を２０分と表示し、二次電池調理メニューの「ピザ」調理の時（１５分）より調理時間が長いことを示し、使用者に報知する（図１６参照）。  
そして、「模擬ピザ」調理が開始される。  
まず、制御部３７は、加熱調理の開始から、熱風用ヒータ２３を商用電源３５に接続し、上下ヒータ１７，１８を二次電池３４に接続することで同時に通電して加熱動作させる。  
二次電池３４に充電されている容量を４．４分間連続して通電することで使いきり、その後熱風用ヒータ２３を通電し続けて、庫内温度を上昇させていく。
【００６０】
そして庫内温度がピザの設定温度（３００度Ｃ）まで到達したら、制御部３７は、それまで二次電池３４から電力が供給されていた加熱手段である上ヒータ１７に商用電源３５から通電されるように、接続スイッチ５１により接続を切り替えオンにする。このとき、熱風用ヒータ２３は、１５００Ｗの消費電力を超えてしまう為、接続スイッチ５４により商用電源３５から切り離す。  
続いて、二次電源３４から電力が供給されていた加熱手段である下ヒータ１８に商用電源３５から通電されるように、上ヒータ１７の接続を切り離し、下ヒータ１８に通電されるように接続を切り替える。  
そして、上下ヒータ１７，１８に通電した後に、熱風用ヒータ２３に接続を戻して通電する。  
このように商用電源３５と接続されるヒータ１７、１８、２３ａを所定時間毎に切り替えて、繰り返すように制御して、加熱開始後２０分経過した時点で調理を終了する。
【００６１】
したがって、上下ヒータ１７，１８は、開始直後は二次電池３４から４．４分間通電されて、その後商用電源３５から断続的に通電されるように電源供給先が切り替わるように制御される。  
そして商用電源３５から上下ヒータ１７，１８への電力供給時間は、３．６分間となり、電力供給時間が変更されるように制御されることにより、加熱調理中に上下ヒータ１７，１８に通電される時間は、二次電池３４と商用電源３５とからの供給時間を合計して８分間通電されるように変わる。  
したがってこれらのように第３の実施例における「模擬ピザ」調理は、「ピザ」調理の仕上がりに近づけるために加熱動作を変更することから「模擬ピザ」の調理終了時間（２０分）は、「ピザ」調理（１５分）のときより長くなる。
【００６２】
このように図１８の「模擬ピザ」の調理方法によれば、二次電池調理メニューの時に比して終了時間は長くなるが、使用者は二次電池３４が充電される時間を待つことなく、「ピザ」調理に準ずる仕上がりのピザが提供されて使用者にとって利便性が高い。  
特に、第２の実施例と異なり、ピザの上下方向から加熱して表面、裏面ともに香ばしくするというピザ調理に必要な動作は、開始当初だけでなく、設定温度到達後もするように制御されるから、より「ピザ」調理に近い仕上がりのピザが提供することができる。
【００６３】
即ち、調理メニューの動作の一環として予め設定されている二次電池３４から通電される加熱手段は、調理メニューの動作として被加熱物の仕上げに必要なものであるが、二次電池の充電量が少ない場合は、代替手段として商用電源３５が接続されて通電できるように模擬二次電池調理メニューとして制御を異なるものとした。  
これによれば、二次電池調理メニューにより加熱される被加熱物によって、上下方向からの加熱が必要であるとか、マイクロ波による加熱が必要であるなど制御方法は異なるが、充電容量が少なく二次電池３４に基づいて加熱することができなくても、商用電源３５により当該加熱手段を通電できる為、被加熱物にとってより適した模擬二次電池調理メニューを実行することができる。
【００６４】
このように第３の実施例によれば、内周ヒータ２３ａ（第１の加熱手段）と上下ヒータ１７，１８（第２の加熱手段）とを、商用電源３５または二次電池３４いずれにも接続可能に構成し、制御部３７は、模擬二次電池調理メニューを選択した場合に、前記二次電池３４から上下ヒータ１７，１８への電力供給時間を１１分から４．４分に短縮し、二次電池３４から上下ヒータ１７，１８に通電していない時間帯に、商用電源３５の接続を内周ヒータ２３ａから上下ヒータ１７，１８のいずれかに切り替えて、電力を供給するようにしたから、使用者は二次電池３４が充電される時間を待つことなく、「ピザ」調理に準ずる仕上がりのピザを提供することができる。
【００６５】
なお、上記実施例には、実行可能な充電容量が二次電池３４に充電されている二次電池調理メニュ―を順に表示部８に表示されるようにしているが、これは順に表示しなくても、該当する二次電池調理メニュ―を全て表示させて、ひとつの項目を選択できるように構成してもよい。
【００６６】
また二次電池調理メニューの項目とは、二次電池調理メニューの名称や、その省略された名称など、二次電池調理メニューを指し示す内容であればよい。
【００６７】
なお、本実施例では商用電源３５の電力供給時間とは、本実施例では加熱開始から加熱終了までに加熱手段に通電された時間を指定しているが、例えば、「ピザ」調理の図１５（ｃ）などの加熱調理においては、加熱室４の温度が設定温度に達した後に、商用電源３５から通電された時間を商用電源３５の電力供給時間を指定してもよい。
【００６８】
なお、本実施例では、商用交流電源の電圧が１００Ｖで、標準コンセント容量である１５Ａであり、消費電力が１５００Ｗ以下（最大電力）となるように出力制御しなくてはいけない環境下において二次電池の動作方法について説明をしたが、電圧が１００Ｖ以上である地域（例えば１５０Ｖ）などでもその地域の最大電力以上の電力を二次電池により供給することができる。
【００６９】
本発明は上記し且つ図面に記載した実施例にのみ限定されるものではなく、変形又は拡張が可能である。
【図面の簡単な説明】
【００７０】
【図１】本発明の第１実施例であり、電子レンジの制御系の構成を概略的に示すブロック図
【図２】電子レンジの縦断側面図
【図３】扉を開放した状態の正面図
【図４】扉を閉鎖した状態の正面図
【図５】二次電池の充電特性を示す図
【図６】二次電池の放電レートを示す図
【図７】（ａ）は二次電池の充電状態を表示部に表示させた状態、（ｂ）は二次電池の残存容量が次第に減少する場合に対応する表示状態の変化を示す図
【図８】接続スイッチの詳細図。
【図９】インバータの詳細図。
【図１０】インバータの電流動作図。
【図１１】操作部の詳細図。
【図１２】調理メニューと二次電池の必要充電容量との相対図。
【図１３】各調理メニューの表示状態を示す図。
【図１４】各調理メニュー表示方法のフローチャート。
【図１５】（ａ）（ｂ）（ｃ）各二次電池調理メニューの動作図。
【図１６】本発明の第２実施例であり、模擬二次電池調理メニューのフローチャート。
【図１７】「模擬ピザ」調理の庫内温度変化を示すタイミングチャート。
【図１８】第３の実施例の図１７相当図。
【符号の説明】
【００７１】
図面中、１は電子レンジ、２は外箱、３は内箱、４は加熱室、５は扉、６は手掛け部、７は操作部、８は表示部（表示手段）、８ａは調理名称表示部、８ｂは充電容量表示部、９は操作パネル、１０は機械室、１１はマグネトロン（加熱手段）、１２は導波管、１３は励振口、１４は段部、１５は底板、１６は回転アンテナ、１７は下ヒータ（加熱手段）、１８は上ヒータ（加熱手段）、１９は熱風発生装置、２０はケーシング、２１はファンモータ、２２はファン、２３は熱風用ヒータ（加熱手段）、２３ａは内周ヒータ（加熱手段）、２３ｂは外周ヒータ（加熱手段）、２４は吸気口、２５は吐気口、２６はフランジ板、２７は上面板、２８は後面板、２９は左側板、３０は右側板、３１は底面板、３２は傾斜面、３３は赤外線センサ（温度検知手段）、３４は二次電池、３５は商用電源、３６は充電回路、３７は制御部（記憶手段、制御手段）、３８は庫内温度センサ（温度検知手段）、３９は充電量検知回路、５０はインバータ、５１〜５４は接続スイッチ、５５は充電リレー、５６は主電源スイッチ、６０は整流ユニット、６１は半導体スイッチ、６２はインバータスイッチ、６３は高周波トランス、８２は自動調理メニュー選択キー、８３は主電源、８４はスタートキー、８５は手動調理メニュー選択キー、８６は充電キー、９０は扉開閉検知手段、を示す。
【図１】
0004818223.tif 000002
【図２】
0004818223.tif 000003
【図３】
0004818223.tif 000004
【図４】
0004818223.tif 000005
【図７】
0004818223.tif 000006
【図８】
0004818223.tif 000007
【図９】
0004818223.tif 000008
【図１０】
0004818223.tif 000009
【図１１】
0004818223.tif 000010
【図１２】
0004818223.tif 000011
【図１３】
0004818223.tif 000012
【図１４】
0004818223.tif 000013
【図１５】
0004818223.tif 000014
【図１６】
0004818223.tif 000015
【図１７】
0004818223.tif 000016
【図１８】
0004818223.tif 000017
【図５】
0004818223.tif 000018
【図６】
0004818223.tif 000019